(57)【要約】【課題】見栄えが良く、便器上面部材を確実に取り付けることができる洋風便器を提供する。【解決手段】洋風便器は、便鉢２と、便鉢２の後方で上壁１Ｕ及び周壁１Ｗに囲まれて下方が開口した空洞部３と、上壁１Ｕから空洞部３に向かって凹設された凹部４、５と、凹部４、５の真下に凹部４、５から空洞部３に連通する貫通孔４ｈ、５ｈとを有する便器本体１を備えている。また、洋風便器は、空洞部３内に収納され、便器本体１を据え付ける床面Ｆに固定される便器固定部材１０を備えている。さらに、洋風便器は、凹部４、５を経て貫通孔４ｈ、５ｈの上部周縁に係止するとともに便器固定部材１０に固定される固定ビス２０を備えている。【選択図】図１
2008291633.tif 000002
【特許請求の範囲】
【請求項１】
便鉢と、該便鉢の後方で上壁及び周壁に囲まれて下方が開口した空洞部と、該上壁から該空洞部に向かって凹設された凹部と、該凹部の真下に該凹部から該空洞部に連通する貫通孔とを有する便器本体と、
該空洞部内に収納され、該便器本体を据え付ける床面に固定される便器固定部材と、
該凹部内を経て該貫通孔の上部周縁に係止するとともに該便器固定部材に固定される便器固定具とを備えていることを特徴とする洋風便器。
【請求項２】
前記凹部は前記上壁から前記空洞部に向かって垂下する無底筒状に形成され、前記便器本体は前記貫通孔が形成された上内壁を有している請求項１記載の洋風便器。
【請求項３】
前記便器固定具は、前記貫通孔の上部周縁に係止する係止部と、該係止部より上方に延び、前記貫通孔の上部周縁と、無底筒状に形成された前記凹部の下端との間よりも長く形成された頭部と、該係止部より下方に延び、少なくとも先端に螺子部が形成された軸部とを有する請求項２記載の洋風便器。
【請求項４】
前記凹部は前記上壁から前記空洞部に向かって垂下する有底筒状に形成され、前記貫通孔は該凹部の底壁に形成されている請求項１記載の洋風便器。
【請求項５】
前記便器本体の後部に便器洗浄装置を備え、
前記凹部は、該便器洗浄装置より前方かつ前記便鉢より後方に位置している請求項１乃至４のいずれか１項記載の洋風便器。
【請求項６】
前記凹部は、前記上壁に取り付けられる便器上面部材を取り付けるためのものである請求項１乃至５のいずれか１項記載の洋風便器。
【請求項７】
前記便器上面部材は便座である請求項６記載の洋風便器。
【発明の詳細な説明】
【技術分野】
【０００１】
本発明は洋風便器に関する。
【背景技術】
【０００２】
特許文献１の図３に従来の洋風便器が開示されている。この洋風便器は、便鉢と、便鉢の後方で上壁及び周壁に囲まれて下方が開口した空洞部とを有する便器本体を備えている。この空洞部内には便器固定部材が収納されており、便器固定部材は便器本体を据え付ける床面に固定されている。また、上壁には貫通孔が設けられている。便器固定具がこの貫通孔に上方から挿通されている。便器固定具の先端が便器固定部材にねじ込まれ、便器固定具の上端部が貫通孔の上部周縁に係止することにより、便器本体が床面に据え付けられている。
【０００３】
このような構成である従来の洋風便器では、便器本体の上方から便器固定具を便器固定部材にねじ込むことにより便器本体を床面へ据え付けることができるため、便器本体の据え付け作業を容易に行なうことができる。
【０００４】
【特許文献１】特開２００２−１５５５６９号公報
【発明の開示】
【発明が解決しようとする課題】
【０００５】
しかし、上記従来の洋風便器は、便器固定具の上端部が便器本体の上壁の上面より上方に突出し、露出している。このため、洋風便器の見映えを損なってしまう。また、便座等の便器上面部材を便器本体の上壁の上面に取り付ける際、便器固定具の上端部が便器上面部材に干渉して、便器上面部材を便器本体の上壁の上面に取り付けることができないおそれがある。
【０００６】
本発明は、上記従来の実情に鑑みてなされたものであって、見映えが良く、便器上面部材を確実に取り付けることができる洋風便器を提供することを解決すべき課題としている。
【課題を解決するための手段】
【０００７】
本発明の洋風便器は、便鉢と、該便鉢の後方で上壁及び周壁に囲まれて下方が開口した空洞部と、該上壁から該空洞部に向かって凹設された凹部と、該凹部の真下に該凹部から該空洞部に連通する貫通孔とを有する便器本体と、
該空洞部内に収納され、該便器本体を据え付ける床面に固定される便器固定部材と、
該凹部内を経て該貫通孔の上部周縁に係止するとともに該便器固定部材に固定される便器固定具とを備えていることを特徴とする。
【０００８】
このような構成である本発明の洋風便器では、便器固定具の上端部は、便器本体の上壁の上面より上方に突出せず、露出しない。このため、洋風便器の見映えを損なわず、便器上面部材を便器本体の上壁の上面に取り付ける際、便器固定具の上端部が便器上面部材に干渉することはない。
【０００９】
したがって、本発明の洋風便器は、見映えが良く、便器上面部材を確実に取り付けることができる。
【００１０】
本発明の洋風便器において、凹部は上壁から空洞部に向かって垂下する無底筒状に形成され、便器本体は貫通孔が形成された上内壁を有していることが好ましい。
【００１１】
この場合、便器固定具を凹部に挿入すると、凹部の内周面により便器固定具の先端部が貫通孔に案内されるため、便器固定具の先端部を貫通孔に容易に挿入させることができ、便器本体の据え付け作業を容易に行なうことができる。また、貫通孔が形成される上内壁の厚みを増すことにより、便器固定具を係止するのに充分な強度を貫通孔の周囲の上内壁に持たせることができる。
【００１２】
便器固定具は、貫通孔の上部周縁に係止する係止部と、係止部より上方に延び、貫通孔の上部周縁と、無底筒状に形成された凹部の下端との間よりも長く形成された頭部と、係止部より下方に延び、少なくとも先端に螺子部が形成された軸部とを有することが好ましい。
【００１３】
この場合、便器本体を床面に据え付けるために、便器固定具を便器固定部材にねじ込み固定すると、便器固定具の頭部の上端は、凹部の下端よりも上方、つまり、凹部内に位置する。このため、便器固定具をねじ込むために特別に長い工具を必要とせず普通の長さの工具で固定することができる。また、床面に据え付けられた便器本体を取り外す際に、ドライバー等の工具を利用して便器固定具を逆回転させると、便器固定具は、当初から頭部が凹部の内周面に案内されて上昇する。よって、便器固定具は、上昇途中に凹部の下端に引っ掛かることがなく、容易に便器固定部材から取り外すことができる。
【００１４】
また、凹部は上壁から空洞部に向かって垂下する有底筒状に形成され、貫通孔は凹部の底壁に形成されていても良い。
【００１５】
この場合、上壁に設けられた凹部の開口から下方の近い位置に貫通孔が形成されているため、便器固定具を貫通孔に容易に挿通させることができる。このため、便器固定具を便器固定部材に容易に固定することができ、便器本体の据え付け作業を容易に行なうことができる。
【００１６】
本発明の洋風便器は、便器本体の後部に便器洗浄装置を備え、凹部は、便器洗浄装置より前方かつ便鉢より後方に位置していることが好ましい。
【００１７】
便器洗浄装置より前方かつ便鉢より後方の領域は、便器本体の前後方向の中央部である。このため、この領域に設けられた凹部を利用することにより、便器本体を床面に据え付けるための下向きの力が便器本体の前方又は後方の一方に偏り過ぎずに、便器本体を床面に確実に据え付けることができる。
【００１８】
また、便器洗浄装置より前方かつ便鉢より後方における空洞部の下部には、一般に洋風便器の構成部材が収納されていない。このため、空洞部内に便器固定部材を容易に収納することができる。また、便器固定部材を上方の貫通孔に近づけて配置することができる。このようにすれば、便器固定部材に便器固定具を容易に固定することができる。
【００１９】
本発明の洋風便器において、凹部は、上壁に取り付けられる便器上面部材を取り付けるためのものであることが好ましい。この場合、便器本体を床面に据え付けるための凹部と、便器上面部材を便器本体の上壁の上面に取付けるための凹部とを別々に設けなくて済むため、便器本体の構造が複雑にならず、便器本体を容易に製造することができる。
【００２０】
本発明の洋風便器において、便器上面部材は便座であることが好ましい。一般的な便座を便器本体に取り付けるためには、便器本体の上壁のうち、便鉢の後方近傍に凹部を設けなければならない。この凹部は便器本体の前後方向の中央部に設けられることになるため、この凹部を便器本体を床面に据え付けるために利用すれば、便器本体を床面に据え付けるための下向きの力が便器本体の前方又は後方の一方に偏り過ぎずに、便器本体を床面に据え付けることができる。
【発明を実施するための最良の形態】
【００２１】
以下、本発明を具体化した実施例１〜実施例３を図面を参照しつつ説明する。
【実施例１】
【００２２】
図１に示すように、実施例１の洋風便器は、便器本体１と、便器固定部材１０と、便器固定具である先端が尖った固定ビス２０とを備えている。なお、便座及び便蓋の図示は省略する。
【００２３】
図１〜図３に示すように、便器本体１は、便鉢２と、便鉢２の後方で上壁１Ｕ及び周壁１Ｗに囲まれて下方が開口する空洞部３とを有している。図２及び図３に示すように、空洞部３は、左右の周壁１Ｗの下端から各々の内側に立ち上がる内壁３ａと、左右の各内壁３ａの上端を連結する上内壁３ｂとにより形成されている。左右の各内壁３ａの内面３ｎは、下方に向かうに従って互いに離れる方向に広がっている。上内壁３ｂは、左右方向の中心に便鉢２の下端から延びる便器排水路２ａを形成し、その左右に固定ビス２０を挿通する挿通孔３ｈが設けられている。
【００２４】
また、図１に示すように、便器本体１は、便器本体１の周壁１Ｗ内で便鉢２より後方に上下が開放した収納空間１Ｓを有している。収納空間１Ｓ内には、便器洗浄装置１００が収納されている。便器洗浄装置１００は、図示しないが、便器本体１の外部で水道管に接続された給水管に給水口が接続され、リム１ｒに吐水口が接続されている。
【００２５】
便器本体１の上壁１Ｕには、上壁１Ｕから空洞部３に向かって垂下する有底筒状に形成され、底壁に貫通孔４ｈを有する一対の凹部４が左右方向に離れて設けられている。
【００２６】
図４に示すように、便器上面部材である一般的な局部洗浄装置２００は、便座２００ｓと、便蓋２００ｃと、便座２００ｓ及び便蓋２００ｃを回動自在に軸支する本体２００ｈとを備えている。本体２００ｈは、下面から所定の間隔を有して下方に突出する一対の締結部材２１０を有している。そして、この締結部材２１０を便器本体１の上面に設けられた凹部４に挿入し、締結部材２１０を拡径することにより、凹部４の内周面に締結部材２１０を固定する。こうして、局部洗浄装置２００は便器本体１の上壁１Ｕの上面に取り付けられる。局部洗浄装置２００に限らず、便座を有する便器上面部材は、同様に、所定の間隔を有して下方に突出する一対の締結部材２１０を有している。
【００２７】
このように便器本体１の上壁１Ｕに設けられる一対の凹部４は、一般的な局部洗浄装置２００に備えられている一対の各締結部材２１０を挿入させるため、一対の各締結部材２１０と同じ間隔を有している。つまり、便器本体１の床面Ｆへの据え付けと、局部洗浄装置２００の便器本体１の上面への取付けとを凹部４を利用して行うことができる。このため、夫々のために凹部を設ける必要が無く、便器本体１の構造が複雑にならず、便器本体１を容易に製造することができる。
【００２８】
また、凹部４は、局部洗浄装置２００を便器本体１に取り付けるために、便器本体１の後部に備えられた便器洗浄装置１００より前方かつ便鉢２より後方に設けられている。つまり、凹部４は、便器本体１の前後方向の中央部に設けられている。この凹部４を利用して便器本体１を床面Ｆに据え付けているため、便器本体１を床面Ｆに据え付けるための下向きの力は便器本体１の前方及び後方の一方に偏り過ぎていない。
【００２９】
空洞部３内には、便器固定部材１０が収納されている。便器固定部材１０は、一対の脚部１２を有している。各脚部１２は、先端が尖ったビス１０ｂにより床面Ｆに固定される各々の固定片１１から上方に延びている。脚部１２は、下方に向かうに従って互いに離れる方向に広がっている。便器固定部材１０は、各脚部１２の上端を連結する連結部１４を有している。固定片１１、脚部１２及び連結部１４は、金属製であり、溶接されている。連結部１４の左右の上方には、固定部１３が設けられている。固定部１３は、固定ビス２０をねじ込み可能な樹脂製のブロックにより形成されている。
【００３０】
固定ビス２０は、凹部４の底壁に設けられた貫通孔４ｈ及び上内壁３ｂに設けられた挿通孔３ｈに上方から挿通され、固定部１３にねじ込まれている。また、固定ビス２０の上端部２１は、ワッシャー２０ｗを介して凹部４の底面４ｔ（貫通孔４ｈの上部周縁、図３参照）に係止されている。
【００３１】
便器本体１の床面Ｆへの据え付け手順は以下のとおりである。先ず、図３に示すように、便器固定部材１０を床面Ｆの所定の位置にビス１０ｂにより固定する。次に、便器固定部材１０の上方から便器本体１を下降させ、便器固定部材１０を空洞部３内に収納しながら、便器本体１を床面Ｆに配置する。この際、便器固定部材１０の固定部１３が凹部４の下方に位置するように便器本体１を床面Ｆに配置しなければならないが、便器本体１の左右の各内壁面３ａ及び便器固定部材１０の各脚部１２は下方に向かうに従って互いに離れる方向に広がっているため、便器本体１の幅方向の位置決めを容易に行なうことができる。便器本体１を床面Ｆに設置した後、凹部４の上方から固定ビス２０を挿入し、固定ビス２０の上端部２１がワッシャー２０ｗを介して凹部４の底面４ｔに係止するまで固定ビス２０を固定部１３にねじ込む。これにより、便器本体１は床面Ｆに据え付けられる。
【００３２】
空洞部３内の下部には、洋風便器の構成部材が収納されていないため、空洞部３は便器固定部材１０を容易に収納することができる。また、固定部１３を挿通孔３ｈの直下に配置することができるため、固定ビス２０を容易に固定部１３にねじ込むことができる。
【００３３】
このようにして床面Ｆに据え付けられた便器本体１において、図１、図２及び図４に示すように、固定ビス２０の上端部２１は、凹部４内に収納されており、上壁１Ｕの上面より上方に突出し、露出していない。このため、図４に示すように、局部洗浄装置２００の締結部材２１０を凹部４に挿入して、局部洗浄装置２００を便器本体１の上面に取付けることができる。
【００３４】
したがって、この洋風便器は、見栄えが良く、局部洗浄装置２００等の便器上面部材を確実に取付けることができる。
【実施例２】
【００３５】
図５及び図６に示すように、実施例２の洋風便器において、便器本体１は上壁１Ｕから空洞部３に向かって垂下する無底筒状に形成された一対の凹部５を有している。この一対の凹部５は、左右方向に離れ、かつ便器洗浄装置１００より前方かつ便鉢２より後方に設けられている。また、一般的な局部洗浄装置等の便器上面部材の一対の各締結部材を挿入可能とするため、一対の各締結部材と同じ間隔を有している。つまり、便器本体１の床面Ｆへの据え付けと、局部洗浄装置等の便器上面部材の便器本体１の上面への取付けとを凹部５を利用して行うことができる。このため、夫々のために凹部を設ける必要が無く、便器本体１の構造が複雑にならず、便器本体１を容易に製造することができる。
【００３６】
各凹部５の下端から離れて形成されている上内壁３ｂには、各凹部５の真下に各凹部５から空洞部３に連通する貫通孔５ｈが形成されている。上内壁３ｂの各貫通孔５ｈが形成される部分は上方に突出する凸部とされ、厚みを増している。このため、固定ビス２０の上端部２１を貫通孔５ｈの上部周縁５ｕに係止するのに充分な強度を貫通孔５ｈの周囲の上内壁３ｂは有している。他の構成は実施例１と同様である。このため、同一の構成については、同一の符号を付し詳細な説明は省略する。
【００３７】
この便器本体１を床面Ｆへ据え付ける際には、上壁１Ｕから空洞部３に向かって垂下する無底筒状に形成された凹部５に固定ビス２０を挿入すると、凹部４の内周面により固定ビス２０の先端部が貫通孔５ｈに案内される。このため、凹部４の下端と上内壁３ｂとの隙間に固定ビス２０が入り込むことなく、固定ビス２０の先端部を貫通孔に容易に挿入させることができるため、便器本体１の据え付け作業を容易に行なうことができる。
【００３８】
床面Ｆに据え付けられた便器本体１において、固定ビス２０の上端部２１は、上壁１Ｕの上面より上方に突出し、露出していない。このため、局部洗浄装置等の便器上面部材の締結部材を凹部５に挿入して、局部洗浄装置等の便器上面部材を便器本体１の上面に取付けることができる。
【００３９】
したがって、この洋風便器も、実施例１と同様、本発明の作用効果を奏することができる。
【実施例３】
【００４０】
図７〜図９に示すように、実施例３の洋風便器において、便器固定具３０は、便器本体１の上内壁３ｂに形成された貫通孔５ｈの上部周縁５ｕと、便器本体１の凹部５の下端５ｄとの間よりも長く形成された円柱状の頭部３１を有している。頭部３１の上端には、六角レンチとマイナスドライバーとが挿入可能な凹部３１ｕが形成されている。また、便器固定具３０は、頭部３１の下端面の中央部に連続し、頭部３１よりも径が小さく、先端に螺子部３２ｎが形成された軸部３２を有している。図９に示すように、頭部３１の下端面の周縁部が係止部３１ｄを形成し、ワッシャー３０ｗを介して貫通孔５ｈの上部周縁５ｕに係止可能とされている。ワッシャー３０ｗは、螺子部２３ｎの外径よりも小さい穴を有し、軸部３２に嵌め込まれている。
【００４１】
図７及び図８に示すように、便器本体１の構成は実施例２の便器本体１と同様である。他の構成は、実施例１及び実施例２と同様であるため、同一の構成については、同一の符号を付し詳細な説明は省略する。
【００４２】
この便器本体１を床面Ｆへ据え付ける際には、ドライバー若しくは六角レンチを便器固定具３０の頭部３１の上端に形成された凹部３１ｕに係止して、便器固定具３０を床面Ｆに固定された便器固定部材１０の固定部１３にねじ込む。便器固定具３０の頭部３１の上端は、凹部５の下端５ｄよりも上方、つまり、凹部５内に位置するため、ドライバー若しくは六角レンチが特別に長いものでなくても利用することができる。また、便器固定具３０の頭部３１の上端は、上壁１Ｕの上面より上方に突出し、露出していない。このため、局部洗浄装置等の便器上面部材の締結部材を凹部５に挿入して、局部洗浄装置等の便器上面部材を便器本体１の上面に取り付けることができる。
【００４３】
したがって、この洋風便器も、実施例１及び実施例２と同様、本発明の作用効果を奏することができる。
【００４４】
また、実施例３の洋風便器では、床面Ｆに据え付けられた便器本体１を取り外す際に、ドライバー又は六角レンチを利用して便器固定具３０を逆回転させると、便器固定具３０は、当初から頭部３１が凹部５の内周面に案内されて上昇する。このため、便器固定具３０は、上昇途中に凹部５の下端に引っ掛かることがなく、容易に便器固定部材１０の固定部１３から取り外すことができる。
【００４５】
以上において、本発明を実施例１〜実施例３に即して説明したが、本発明は上記実施例に制限されるものではなく、その趣旨を逸脱しない範囲で適宜変更して適用できることはいうまでもない。
【００４６】
例えば、便器洗浄装置１００に関しては、便器本体１の後部上方に載置され、洗浄水を貯留するタンクを有するものに変更することが可能である。この場合、タンク又はタンクのカバーを便器上面部材として、凹部４を利用して便器本体１の上壁１Ｕに取り付けることが可能である。
【００４７】
また、便器本体１の前後方向の位置決めを容易に行なうことができるように、便器固定部材１０及び便器本体１の空洞部３に前後方向の案内部材を設けることが可能である。
【００４８】
また、便器本体１の上壁１Ｕに設けられる一対の凹部４、５を利用せずに局部洗浄装置等の便器上面部材を便器本体１の上面に取付けてもよい。この場合、図１０に示すように、凹部４、５内の上部にゴム製又は樹脂製の蓋部材４０を挿入し、凹部４、５内に水や尿等が入り込まないようにするとよい。
【産業上の利用可能性】
【００４９】
本発明は洋風便器に利用可能である。
【図面の簡単な説明】
【００５０】
【図１】実施例１の洋風便器の横断面図である。
【図２】実施例１の洋風便器に係り、図１のＡ−Ａ矢視断面図である。
【図３】実施例１の洋風便器に係り、図１のＡ−Ａ矢視断面の分解図である。
【図４】実施例１の洋風便器に局部洗浄装置を取り付けた一部断面図である。
【図５】実施例２の洋風便器の一部断面図である。
【図６】実施例２の洋風便器に係り、図５のＢ−Ｂ矢視断面図である。
【図７】実施例３の洋風便器の一部断面図である。
【図８】実施例３の洋風便器に係り、図７のＢ−Ｂ矢視断面図である。
【図９】実施例３の便器固定具の斜視図である。
【図１０】実施例１〜３の洋風便器に係り、便器本体の上壁に設けられた凹部に蓋部材を挿入した状態を示す断面図である。
【符号の説明】
【００５１】
１…便器本体
１Ｕ…上壁
１Ｗ…周壁
２…便鉢
３…空洞部
４、５…凹部
４ｈ、５ｈ…貫通孔
４ｔ…底面（貫通孔の上部周縁）
１０…便器固定部材
２０、３０…固定ビス（便器固定具）
Ｆ…床面
【図１】
2008291633.tif 000003
【図２】
2008291633.tif 000004
【図３】
2008291633.tif 000005
【図４】
2008291633.tif 000006
【図５】
2008291633.tif 000007
【図６】
2008291633.tif 000008
【図７】
2008291633.tif 000009
【図８】
2008291633.tif 000010
【図９】
2008291633.tif 000011
【図１０】
2008291633.tif 000012